(57)【要約】【課題】お揃いのデザインで、常に同時に使用できるように、封筒の中面にメッセージシートを装着したメッセージシートつき封筒を提供する。【解決手段】封筒の、トップ面（１）およびボトム面（２）の中面の少なくともいずれか片面に、便箋・グリーティングカード等のメッセージシート（４）を装着し、使用前はメッセージを書き込みできるように展開状態とし、使用後はメッセージを読むことができるように封筒自体を展開可能に形成したことを特徴とする。【選択図】図１
2004091047.tif 000002
【特許請求の範囲】
【請求項１】
トップ面（１）と、ボトム面（２）と、この両面によって形成される封入口に封をするためのフラップ面（３）と、前記トップ面（１）およびボトム面（２）の中面の少なくともいずれか片面に装着された便箋・グリーティングカード等のメッセージシート（４）からなり、使用前はメッセージを書き込むことができるように展開状態にあり、使用後はメッセージを読むことができるように展開可能に形成したことを特徴とするメッセージシートつき封筒。
【請求項２】
トップ面（１）と、ボトム面（２）と、この両面によって形成される封入口に封をするためのフラップ面（３）と、前記トップ面（１）とボトム面（２）を接着するための接着手段を備え、この接着手段で接着後、この両面を展開できる部位にミシン目（５）を設けたマチ（６）と、前記トップ面（１）およびボトム面（２）の中面の少なくともいずれか片面に装着された便箋・グリーティングカード等のメッセージシート（４）からなり、使用前はメッセージを書き込むことができるように展開状態にあり、使用後はメッセージを読むことができるように展開可能に形成したことを特徴とするメッセージシートつき封筒。
【発明の詳細な説明】
【０００１】
【発明の属する技術分野】
本発明は、封筒と便箋・グリーティングカード等のメッセージシートを、お揃いのデザインで、常に同時に使用できるようにするため、封筒の中面にメッセージシートを装着し、使用前はメッセージを書き込むことができるように展開状態とし、使用後はメッセージを読むことができるように展開可能に形成したことを特徴とするメッセージシートつき封筒に関するものである。
【０００２】
【従来の技術】
従来、封筒と便箋およびグリーティングカード等のメッセージシートは、セットで使用されるものであるにも関わらず、別々になっていた。
【０００３】
【発明が解決しようとする課題】
これは次のような欠点があった。
（イ）　便箋と封筒の場合、お揃いのデザインのものをセットで購入しても、同時に消費されるわけではなく、便箋だけが残ってしまうことが多かった。
（ロ）　グリーティングカード等と封筒の場合、カードのデザインは単体で、封筒は入れるためのものでしかなく、お揃いのデザインのものはなかった。
本発明は、以上のような欠点をなくすためになされたものである。
【０００４】
【課題を解決するための手段】
トップ面（１）と、ボトム面（２）と、この両面によって形成される封入口に封をするためのフラップ面（３）からなる封筒の、前記トップ面（１）およびボトム面（２）の中面の少なくともいずれか片面に、便箋・グリーティングカード等のメッセージシート（４）を装着し、封筒とメッセージシートを一体化させ、使用前はメッセージを書き込むことができるように展開状態とし、使用後はメッセージを読むことができるように封筒自体を展開可能に形成することで上記課題を解決する。
【０００５】
【発明の実施の形態】
以下、本発明の実施の形態について説明する。
図１で示すように、メッセージシートつき封筒は、トップ面（１）と、ボトム面（２）と、この両面によって形成される封入口に封をするため糊またはテープ等（７）を設けたフラップ面（３）と、前記トップ面（１）とボトム面（２）を接着するため糊またはテープ等（７）を備え、接着後、この両面を展開できる部位にミシン目（５）を設けたマチ（６）と、前記トップ面（１）およびボトム面（２）の中面の少なくともいずれか片面に装着された便箋・グリーティングカード等のメッセージシート（４）からなる。
本発明は以上のような構造で、これを使用するときには、メッセージシート（４）にメッセージを書き込み、メッセージシート（４）の折りに従ってたたみ、マチ（６）を内側に折り、折り目（８）を基点に折り返し、ボトム面（２）を折り、マチ（６）に設けられた糊またはテープ等（７）で、マチ（６）とボトム面（２）を接着し、フラップ面（３）を折り、これに設けられた糊またはテープ等（７）で封をする。
開封時には、上部をはさみ等で切り、袋状になった封筒のマチ（６）の折り目（８）に設けられたミシン目（５）を切り、トップ面（１）とボトム面（２）を展開し、封筒自体を開いてメッセージを読む。
【０００６】
第２実施の形態として図２で示すように、図１のメッセージシートつき封筒のマチ（６）を長くして、ミシン目（５）を設けた折り目（８）と、さらに外側に折り目２（９）を設け、折り目２（９）より外側の面に糊またはテープ等（７）を設ける。
本発明の第２実施の形態は以上のような構造で、これを使用するときには、メッセージシート（４）にメッセージを書き込み、メッセージシート（４）の折りに従ってたたみ、マチ（６）を内側に折り、折り目（８）を基点に折り返し、ボトム面（２）を折りかぶせてから、マチ（６）を折り目２（９）を基点に再度折り返し、これに設けられた糊またはテープ等（７）でマチ（６）とボトム面（２）を接着し、フラップ面（３）を折り、これに設けられた糊またはテープ等（７）で封をする。
開封時には、上部をはさみ等で切り、袋状になった封筒のマチ（６）の折り目（８）に設けられたミシン目（５）を切り、トップ面（１）とボトム面（２）を展開し、封筒自体を開いてメッセージを読む。
【０００７】
第３実施の形態として図３で示すように、図１のメッセージシートつき封筒の、ボトム面（２）の左右にサイド面（１０）を設ける。
本発明の第３実施の形態は以上のような構造で、これを使用するときには、メッセージシート（４）にメッセージを書き込み、メッセージシート（４）の折りに従ってたたみ、マチ（６）を内側に折り、折り目（８）を基点に折り返し、サイド面（１０）を折り、ボトム面（２）を折り、マチ（６）に設けられた糊またはテープ等（７）でマチ（６）とサイド面（１０）を接着し、フラップ面（３）を折り、これに設けられた糊またはテープ等（７）で封をする。
開封時には、上部をはさみ等で切り、袋状になった封筒のマチ（６）の折り目（８）に設けられたミシン目（５）を切り、トップ面（１）とボトム面（２）を展開し、封筒自体を開いてメッセージを読む。
【０００８】
第４実施の形態として図４で示すように、図１のメッセージシートつき封筒のマチ（６）の変わりに、トップ面（１）の左右にサイド面（１０）を設け、トップ面（１）とサイド面（１０）の折りにミシン目（５）を設け、サイド面（１０）の中面に糊またはテープ等（７）を設ける。
本発明の第４実施の形態は以上のような構造で、これを使用するときには、メッセージシート（４）にメッセージを書き込み、メッセージシート（４）の折りに従ってたたみ、先にボトム面（２）を折り、次にサイド面（１０）を折りかぶせ、これに設けられた糊またはテープ等（７）で、トップ面（１）とボトム面（２）を接着し、フラップ面（３）を折り、これに設けられた糊またはテープ等（７）で封をする。
開封時には、上部をはさみ等で切り、袋状になった封筒のミシン目（５）を切り、トップ面（１）とボトム面（２）を展開し、封筒自体を開いてメッセージを読む。
【０００９】
第５実施の形態として図５で示すように、図１のメッセージシートつき封筒のマチ（６）の変わりに、トップ面（１）の左右に差し込み口（１１）を設けたサイド面（１０）を設け、ボトム面（２）に切り込み（１２）を設け、フラップ面（３）にジッパータイプのミシン目（１３）を設ける。
本発明の第５実施の形態は以上のような構造で、これを使用するときには、メッセージシート（４）にメッセージを書き込み、メッセージシート（４）の折りに従ってたたみ、サイド面（１０）を折り、ボトム面（２）を折り、差し込み口（１１）に切り込み（１２）を差し込んでトップ面（１）とボトム面（２）を閉じ、フラップ面（３）を折り、これに設けられた糊またはテープ等（７）で封をする。
開封時には、ジッパータイプのミシン目（１３）を切り、封を開けると、差し込み口（１１）と切り込み（１２）が見えるので、これを抜いて、トップ面（１）とボトム面（２）を展開し、封筒自体を開いてメッセージを読む。
【００１０】
第６実施の形態として図６で示すように、図１のメッセージシートつき封筒のマチ（６）の変わりに、トップ面（１）の左右に差し込み口（１１）を設けたサイド面（１０）を設け、ボトム面（２）の左右に突起部（１４）を設け、フラップ面（３）にジッパータイプのミシン目（１３）を設ける。
本発明の第６実施の形態は以上のような構造で、これを使用するときには、メッセージシート（４）にメッセージを書き込み、メッセージシート（４）の折りに従ってたたみ、サイド面（１０）を折り、ボトム面（２）を折り、差し込み口（１１）に突起部（１４）を差し込んでトップ面（１）とボトム面（２）を閉じ、フラップ面（３）を折り、これに設けられた糊またはテープ等（７）で封をする。
開封時には、ジッパータイプのミシン目（１３）を切り、封を開けると、差し込み口（１１）と突起部（１４）が見えるので、これを抜いて、トップ面（１）とボトム面（２）を展開し、封筒自体を開いてメッセージを読む。
【００１１】
メッセージシートの形状は豊富なバリエーションがあり、便箋およびグリーティングカード、あるいはダイレクトメールとしても使用できる。
（イ）　図１の２つ折り、見本は上開きだが、下開き、左開き、右開きもある。
（ロ）　図７の巻き込み折り
（ハ）　図８のジャバラ折り
（ニ）　図９の片観音折り、見本は上下だが、左右もある。
（ホ）　図１０の封筒運動ポップアップ
（ヘ）　図１１の谷折りポップアップ
（ト）　図１２の山折りポップアップ
【００１２】
【発明の効果】
（イ）　便箋と封筒の場合、一体となっているので、常に同時に使用され、便箋
だけが残ることはない。
（ロ）　従来の封書と葉書の中間くらいに位置する、新しい手紙の形態となり、便箋と比べると、折る手間がない、使いきりで余ることがない。葉書と比べると、読まれる心配がない、書くスペースが広いといった利点がある。
（ハ）　グリーティングカード等と封筒の場合、一体となっているので、それを前提として従来にないデザインの幅が広がる。
例として図１３および図１４で示すように、封筒中面の模様の一部をカードの表面および中面に入れるといったようなことである。
【図面の簡単な説明】
【図１】本発明の斜視図
【図２】本発明のマチが３つ折りの斜視図
【図３】本発明のボトムにサイドを設けた斜視図
【図４】本発明のマチの変わりにサイドを設けた斜視図
【図５】本発明のマチの変わりにサイドを設け、ボトムに切り込みを設けた斜視図
【図６】本発明のマチの変わりにサイドを設け、ボトムに突起部を設けた斜視図
【図７】本発明のメッセージシートが巻き込み折りの斜視図
【図８】本発明のメッセージシートがジャバラ折りの斜視図
【図９】本発明のメッセージシートが片観音折りの斜視図
【図１０】本発明のメッセージシートが封筒連動ポップアップの斜視図
【図１１】本発明のメッセージシートが谷折りポップアップの斜視図
【図１２】本発明のメッセージシートが山折りポップアップの斜視図
【図１３】本発明の封筒中面の模様の一部をカードの表面に入れたデザイン例の斜視図
【図１４】本発明の封筒中面の模様の一部をカードの中面に入れたデザイン例の斜視図
【符号の説明】
１　　トップ面
２　　ボトム面
３　　フラップ面
４　　メッセージシート
５　　ミシン目
６　　マチ
７　　糊またはテープ等
８　　折り目
９　　折り目２
１０　サイド面
１１　差し込み口
１２　切り込み
１３　ジッパータイプのミシン目
１４　突起部
【図１】
2004091047.tif 000003
【図２】
2004091047.tif 000004
【図３】
2004091047.tif 000005
【図４】
2004091047.tif 000006
【図５】
2004091047.tif 000007
【図６】
2004091047.tif 000008
【図７】
2004091047.tif 000009
【図８】
2004091047.tif 000010
【図９】
2004091047.tif 000011
【図１０】
2004091047.tif 000012
【図１１】
2004091047.tif 000013
【図１２】
2004091047.tif 000014
【図１３】
2004091047.tif 000015
【図１４】
2004091047.tif 000016